(57)【要約】【課題】煙道配管の脱着作業の効率化により、煙道配管の清掃作業が短時間で可能となり、もって溶融設備の稼働率を向上させる煙道配管の吊り具及び吊り具の使用方法を提供する。【解決手段】煙道配管専用吊り治具２００は、２つの鋼製の半環状の半割れ部２００ａを組み合わせて構成され、環状をなすものであって、煙道配管３０の周囲を２つの半割れ部２００ａで囲んだ状態で対向する半割れ部２００ａの端部間をネジ締結体２０１、つまり、ボルト２０１ａとナット２０１ｂとで締め付けて煙道配管３０の中心軸に対する回転を拘束する。また、煙道配管３０に煙道配管専用吊り治具２００を取り付ける際に、上側となる半割れ部２００ａの頂部にはアイボルト２０２が螺嵌される。【選択図】      図３
2007254135.tif 000002
【特許請求の範囲】
【請求項１】
屋内に設置されるプラント等の設備に接続されている重量物を脱着する際に、前記重量物を吊持するための吊り具において、
鉛直軸を中心にして回動自在に軸支される回転装置と、
該回転装置の下端部に固着されるフック又はアイボルト等の吊り部とを備えることを特徴とする吊り具。
【請求項２】
屋内に設置されるプラント等の設備に接続されている重量物を脱着する際に、前記重量物を吊るための吊り具において、
鉛直軸を中心にして回動自在に軸支され、昇降可能なフック又はアイボルト等の吊り具を有する昇降装置とを備えること特徴とする吊り具。
【請求項３】
屋内に設置されるプラント等の設備に接続されている重量物を吊るための吊り具の使用方法であって、
鉛直軸を中心にして回動自在に軸支される回転装置の下端部に固着されるフック又はアイボルト等の吊り部を降下させて前記重量物を吊持し、
前記重量物を前記回転装置にて回転させながら前記吊り部を上昇させ、
前記吊り部を降下させながら前記重量物を前記回転装置にて回転させて所定の位置に配設することを特徴とする吊り具の使用方法。
【発明の詳細な説明】
【技術分野】
【０００１】
本発明は、重量物を移動させるための、例えば、廃棄物を溶融処理する溶融炉に接続されている煙道配管を脱着して移動するための吊り具及びその使用方法に関するものである。
【背景技術】
【０００２】
原子力発電所で発生する低レベル放射性廃棄物のうち雑固体廃棄物は、ドラム缶に詰められ、モルタル等の充填材にて充填されて所定の埋設場に埋設処分されるが、埋設場の広さには限りがあるので、雑固体廃棄物を減容し、埋設されるドラム缶の数を少なくすることが好ましい。そこで、雑固体廃棄物の減容方法として、例えば、高周波誘導加熱方式による溶融設備が導入されている。
【０００３】
具体的には、溶融設備は、雑固体廃棄物を溶融炉内にセットしたキャニスタ内で溶融して減容し、固化させた後、キャニスタごとドラム缶に詰め、モルタル等の固型化材料を充填して廃棄体とするものである。
【０００４】
溶融炉の上部には、排気排出用の煙道が開口しており、煙道には煙道配管が接続され、この煙道配管はフィルターを介して排ガスブロワ及び排気処理装置に接続されている。排ガスブロワの吸引動作により常時炉内を負圧に保って排気の外部拡散を防止し、排ガスブロワにより吸引された排気は、排気中の粉塵をフィルターで濾過し、排気処理装置を通過させて無害化して大気中に放出される。
【０００５】
溶融炉にて発生する排気は、溶融炉に接続されている煙道配管部において大気により急激に冷却され、その結果、排気中の気体状の金属成分の一部が固体化して煙道配管内面に付着して付着物となり、この付着物が積層して煙道配管を閉塞状態にする。
【０００６】
そこで、この付着物を取り除くために煙道配管を煙道及びフィルターから取り外して配管内の清掃を行っている。
【０００７】
煙道配管を取り外す際は、床面から煙道配管上部まで作業用足場を仮設し、さらに足場を土台として煙道配管を吊るための架台を設置する。そして、この架台にレバーブロックを掛けて固定し、ワイヤーロープの一端をレバーブロックのフックに掛け、他端を煙道配管に巻き付け、さらに、介錯ロープを煙道配管に巻き付ける。
【０００８】
そして、レバーブロックを巻上げて煙道配管を吊り上げ、隣接する煙道及びフィルターと縁切りした後、介錯ロープにて介錯しながらレバーブロックを巻下げて煙道配管を清掃用作業台に降下させる。
【発明の開示】
【発明が解決しようとする課題】
【０００９】
しかしながら、従来行われてきた足場及び架台を設置する方法は、足場及び架台は広いスペースを必要とすることから溶融炉平常稼働時は他の作業の邪魔となるために、煙道配管の清掃のたびに足場及び架台を設置して解体しなければならない。ここで、煙道配管の清掃のたびに足場及び架台を設置して解体する作業は時間と手間がかかるという問題点があった。
【００１０】
また、足場及び架台は広いスペースを必要とすることから、煙道配管の清掃作業と並行して行われる溶融炉の清掃作業の妨げになるという問題点があった。
【００１１】
そして、煙道配管と煙道との接続部、煙道配管とフィルターとの接続部は精度よく接続されているために、煙道配管を取り外す際に煙道配管の吊りバランスが悪い場合においては、煙道配管の端部と煙道又はフィルターの端部とが囓って破損するという問題点があった。また、煙道配管を取り付ける際に煙道配管の吊りバランスが悪い場合においては、煙道配管のボルト穴と煙道又はフィルターとのボルト穴が合わず、煙道配管を上下又は回転させたりして位置合わせに時間と手間がかかる等の問題点があった。
【００１２】
また、煙道配管の重心を見極めて脱着に最適なレバーブロックの取り付け位置、ワイヤーロープの煙道配管への掛け位置等の決定には経験が必要であるという問題点があった。
【００１３】
さらに、煙道配管の清掃時は溶融炉を停止しなければならず、煙道配管の脱着作業に長い時間を要すると、溶融炉の稼働率が低下するという問題点があった。
【００１４】
そこで、本発明は上記問題を解決するものであり、その目的は、煙道配管用の吊り具を用いて煙道配管の脱着時間を短縮することにより清掃作業時間全体を短縮し、もって溶融炉の稼働率を向上させることが可能な煙道配管の吊り具及び吊り具の使用方法を提供するものである。
【課題を解決するための手段】
【００１５】
上記問題を解決する本発明の吊り具は、屋内に設置されるプラント等の設備に接続されている重量物を脱着する際に、前記重量物を吊持するための吊り具において、鉛直軸を中心にして回動自在に軸支される回転装置と、該回転装置の下端部に固着されるフック又はアイボルト等の吊り部とを備えることを特徴とする（第１の発明）。
【００１６】
第２の発明の吊り具は、屋内に設置されるプラント等の設備に接続されている重量物を脱着する際に、前記重量物を吊るための吊り具において、鉛直軸を中心にして回動自在に軸支され、昇降可能なフック又はアイボルト等の吊り具を有する昇降装置とを備えること特徴とする。
【００１７】
第３の発明の吊り具の使用方法は、屋内に設置されるプラント等の設備に接続されている重量物を吊るための吊り具の使用方法であって、鉛直軸を中心にして回動自在に軸支される回転装置の下端部に固着されるフック又はアイボルト等の吊り部を降下させて前記重量物を吊持し、前記重量物を前記回転装置にて回転させながら前記吊り部を上昇させ、前記吊り部を降下させながら前記重量物を前記回転装置にて回転させて所定の位置に配設することを特徴とする。
【発明の効果】
【００１８】
本発明による吊り具を用いることにより、少ない人数で容易に、かつ安全に煙道配管を清掃場所に移動することが可能となる。
【００１９】
また、本発明による吊り具が鉛直軸を中心にして回動自在に軸支される回転装置を備えることにより煙道配管の脱着の際の位置の微調整が可能となり、煙道配管の脱着を容易に短時間で行うことが可能となる。
【００２０】
したがって、本発明による吊り具を使用することにより煙道配管の脱着作業の効率化でき、煙道配管の清掃作業を短時間にすることが可能となる。
【００２１】
そして、煙道配管の清掃時間が短くなることにより、溶融炉を稼働させる時間が長くなり、溶融設備の稼働率を向上させることが可能となる。
【発明を実施するための最良の形態】
【００２２】
以下、本発明の好ましい実施形態について図面を用いて詳細に説明する。図１は、本発明の第一実施形態に係る放射性廃棄物処理設備の全体構成を示す図である。図１に示すように、雑固体廃棄物溶融設備は、雑固体廃棄物を仕分けする前処理設備１と、仕分けされた雑固体廃棄物のうち溶融可能な廃棄物を溶融するための溶融設備２と、溶融終了後の溶融廃棄物を収納したドラム缶に、モルタルを充填して充填固化体とするモルタル固化設備３と、充填固化体を一時保管する保管設備４からなる。
【００２３】
溶融設備２では、高周波誘導コイルが螺旋状に巻回されている溶融炉２１内にセットしたキャニスタ１２内部を１５００℃程度に昇温させ、溶融対象物８を溶融して減容させる。溶融炉２１にて発生する排気は、煙道配管３０、フィルター２７を通過して排気処理装置２９にて処理される。
【００２４】
図２は、本発明の第一実施形態に係る煙道配管の分解斜視図である。図２に示すように、煙道配管３０は、いずれも肉厚のステンレス円筒鋼管であり、その両端に形成されたフランジ３０ａにより耐熱ガスケット５０を挟んで連結されている。清掃作業時には個々の煙道配管３０に分離される。
【００２５】
図３は、本発明の第一実施形態に係る吊り具の使用方法を示す図である。
【００２６】
煙道配管３０を脱着する際に、煙道配管３０の両端にそれぞれ接続されている煙道２６、フィルター２７の接続面に煙道配管の端部を衝突させて傷をつけないように煙道配管３０を精度よく吊り上げるために、図３に示すように、２台の煙道配管専用吊り治具２００と吊りビーム２０４とを用いる。
【００２７】
煙道配管専用吊り治具２００は、２つの鋼製の半環状の半割れ部２００ａを組み合わせて構成され、環状をなすものであって、煙道配管３０の周囲を２つの半割れ部２００ａで囲んだ状態で対向する半割れ部２００ａの端部間をネジ締結体２０１、つまり、ボルト２０１ａとナット２０１ｂとで締め付けて煙道配管３０の中心軸に対する回転を拘束する。また、煙道配管３０に煙道配管専用吊り治具２００を取り付ける際に、上側となる半割れ部２００ａの頂部にはアイボルト２０２が螺嵌される。
【００２８】
吊りビーム２０４の上面及び下面には、２台の煙道配管専用吊り治具２００の取り付け間隔と等しい間隔で２個のアイボルト２０３ａ、２０３ｂがそれぞれ螺嵌されている。
【００２９】
そして、天井に取り付けられたアイボルト１９１にレバーブロック２０６の一方のフック２０７を掛け、レバーブロック２０６の他方のフック２０８に同じ長さの２本のワイヤーロープ２０９のそれぞれの一端を掛け、このワイヤーロープ２０９のそれぞれの他端を吊りビーム２０４の上面に螺嵌されるアイボルト２０３ａに接続する。
【００３０】
それから、レバーブロック２０６を巻上げて吊りビーム２０４を煙道配管上部に移動させ、吊りビーム２０４の下面のアイボルト２０３ｂと対向する位置にある煙道配管専用吊り治具２００のアイボルト２０２とを同じ長さの２本のワイヤーロープ２１０でそれぞれを接続し、再度レバーブロック２０６を巻上げてすべてのワイヤーロープ２０９、２１０を軽く緊張させる。
【００３１】
煙道配管３０を取り外す際は、レバーブロック２０６を少しずつ巻上げ、煙道配管３０の両端にそれぞれ接続されている煙道２６、フィルター２７と縁切りして煙道配管３０を煙道２６、フィルター２７に衝突しない高さまで吊り上げる。
【００３２】
清掃場所にて煙道配管３０を回転させて位置を調整しながら、レバーブロック２０６を少しずつ巻下げして煙道配管３０を清掃用作業台に降ろす。
【００３３】
煙道配管３０を吊り上げ、移動及び吊り下げを行う際は、フック２０７の回転を利用して煙道配管３０を回転させることにより煙道配管の位置を調整することが可能となるために容易に障害物を回避でき、吊り上げ、移動及び吊り下げ作業が容易となる。
【００３４】
清掃終了後、煙道配管３０を所定の位置に取り付ける際は、煙道配管３０を清掃用作業台から吊り上げる。
【００３５】
そして、煙道配管３０が煙道２６及びフィルター２７に衝突しないように煙道配管３０を回転させて位置を調整しながら、レバーブロック２０６を少しずつ巻下げして煙道配管３０を煙道２６とフィルター２７との間に設置する。ここで、煙道配管３０は、吊りビーム２０４により精度よく吊り下げられているために、煙道２６とフィルター２７との間に容易に設置することが可能である。また、煙道配管３０内部の清掃作業中も煙道配管専用吊り治具２００を煙道配管３０に取り付けた状態とすることにより、煙道配管３０が煙道配管専用吊り治具２００に対して回転することが無いために、取り外し時と全く同じ状態で煙道２６とフィルター２７との間に設置されることから、煙道２６及びフィルター２７にそれぞれ対向する接続用ボルト穴は完全に一致してスムーズにボルトを挿通することが可能である。したがって、煙道配管３０の脱着を短時間で容易に行うことが可能となる。
【００３６】
図４は、本発明の第二実施形態に係る吊り具の他の使用方法を示す図である。以下、前述した内容と対応する部分には同一の符号を付して、説明を省略するものとする。図４に示すように、天井と煙道配管３０との距離が短くて吊りビーム２０４を使用できない場合においては、煙道配管３０を精度よく吊り上げるために、２台のレバーブロック２０６と同じ長さの１対のワイヤーロープを２セット２０５、２０９とを用いる。アイボルト１９１にワイヤーロープ２０５の一端を掛け、他端をレバーブロック２０６の一方のフック２０７に掛け、そして、レバーブロック２０６の他方のフック２０８にワイヤーロープ２０９の一端を掛け、他端をアイボルト２０２に接続する。同様の方法にて、吊りフック１９４からアイボルト２０２までの長さが等しくなるように、他のワイヤーロープ２０５とレバーブロック２０６とワイヤーロープ２０９とを接続する。
【００３７】
煙道配管３０を取り外す際は、２台のレバーブロック２０６を同時に少しずつ巻上げ、煙道配管３０に隣接する煙道２６及びフィルター２７と縁切りして煙道配管３０を煙道２６、フィルター２７に衝突しない高さまで吊り上げる。そして、清掃場所まで移動する。
【００３８】
清掃場所にて煙道配管３０を回転させて位置を調整しながら、２台のレバーブロック２０６を同時に少しずつ巻下げして煙道配管３０を降ろす。
【００３９】
清掃終了後、煙道配管３０を所定の位置に取り付ける際は、煙道配管３０を清掃用作業台から吊り上げる。
【００４０】
そして、煙道配管３０が煙道２６及びフィルター２７に衝突しないように煙道配管３０を回転させて位置を調整しながら、２台のレバーブロック２０６を少しずつ巻下げして煙道配管３０を煙道２６とフィルター２７との間に設置する。
【００４１】
なお、発明の理解の便宜上、すべての実施形態において、廃棄物を溶融処理する溶融炉に接続されている煙道配管を脱着して移動する方法について説明したが、本発明がこれに限定されるものではなく、屋内に設置されるプラント等の設備に接続されている重量物あればよい。
【図面の簡単な説明】
【００４２】
【図１】本発明の第一実施形態に係る放射性廃棄物処理設備の全体構成を示す図である。
【図２】本発明の第一実施形態に係る煙道配管の分解斜視図である。
【図３】本発明の第一実施形態に係る吊り具の使用方法を示す図である。
【図４】本発明の第二実施形態に係る吊り具の使用方法を示す図である。
【符号の説明】
【００４３】
２  溶融設備                  ２１  溶融炉
２６  煙道                    ２９  排気処理装置
３０  煙道配管                ３０ａ  フランジ
５０  耐熱ガスケット
１９１  アイボルト            ２００  煙道配管専用吊り治具
２０１  ネジ締結体            ２０２、２０３（２０３ａ、２０３ｂ）  アイボルト
２０４  吊りビーム            ２０９、２１０  ワイヤーロープ
２０６  レバーブロック        ２０７、２０８  フック
【図１】
2007254135.tif 000003
【図２】
2007254135.tif 000004
【図３】
2007254135.tif 000005
【図４】
2007254135.tif 000006